(57)【要約】【課題】大型かつ高価な車体傾斜用アクチュエータを用いることなく車体を傾斜させ得る鉄道車両を提案する。【解決手段】曲面軌道を走行する台車と、台車に支持される支持構造体と、支持構造体に支持される機器室及び客室支持部材と、客室支持部材に傾斜可能に支持される客室と、客室を傾斜させる傾斜角度制御部とを備え、客室は、客室支持部材により支持されることにより、支持構造体により支持される機器室とは独立して設置され、傾斜角度制御部は、機器室から独立して設置される客室だけを傾斜させることを特徴とする。【選択図】図１
2016078486.tif 000002
【特許請求の範囲】
【請求項１】
曲面軌道を走行する台車と、
前記台車に支持される支持構造体と、
前記支持構造体に支持される機器室及び客室支持部材と、
前記客室支持部材に傾斜可能に支持される客室と、
前記客室を傾斜させる傾斜角度制御部とを備え、
前記客室は、前記客室支持部材により支持されることにより、前記支持構造体により支持される前記機器室とは独立して設置され、
前記傾斜角度制御部は、前記機器室から独立して設置される前記客室だけを傾斜させる
ことを特徴とする鉄道車両。
【請求項２】
前記支持構造体は、凹形状を有し、
前記支持構造体の凹形状の部分に前記客室が設置される
ことを特徴とする請求項１に記載の鉄道車両。
【請求項３】
前記客室支持部材は、前記支持構造体と前記客室との間に設置される
ことを特徴とする請求項１に記載の鉄道車両。
【請求項４】
前記客室支持部材は、前記客室の上部に設置される
ことを特徴とする請求項１に記載の鉄道車両。
【請求項５】
前記傾斜角度制御部は、
弾性体、粘弾性体、減衰要素又はアクチュエータのうちの何れか又は全てを備える
ことを特徴とする請求項１に記載の鉄道車両。
【発明の詳細な説明】
【技術分野】
【０００１】
本発明は、鉄道車両に関し、特に曲線軌道を走行する鉄道車両に適用して好適なものである。
【背景技術】
【０００２】
特許文献１には、曲線軌道を走行する際、乗心地を悪化させずに曲線軌道の通過速度を向上させる鉄道車両が開示されている。具体的には、台車枠上に支持される支持架台と、支持架台上部に配置され、車体傾斜中心を揺動する揺動部材と、支持架台と揺動部材との間に配置され、鉄道車両が曲線軌道を走行している際に車体を傾斜させる車体傾斜用アクチュエータとを備え、車体傾斜中心が車体重心よりも下である鉄道車両が開示されている。
【０００３】
この特許文献１によれば、車体傾斜中心を車体床面高さ程度に設定して、車体傾斜中心を車体重心よりも低く設定することにより、台車の曲線軌道内軌側の輪重減少を防止し、走行性能を向上させることができるとしている。
【先行技術文献】
【特許文献】
【０００４】
【特許文献１】特許第３１１５５０３号公報
【発明の概要】
【発明が解決しようとする課題】
【０００５】
しかし特許文献１に記載の技術では、車体を傾斜させるための車体傾斜用アクチュエータが大型になる。また信頼性確保の観点から、頑丈な構造にするための費用がかかり、高価になる。従って大型かつ高価な車体傾斜用アクチュエータが必要になるという課題がある。
【０００６】
なお一般に鉄道車両は客室と機器室とが連結されており、機器室には空調装置等の各種機器が搭載されている。よって車体全体の重量は非常に大きくなる。そしてこの重量の大きい車体を傾斜させるためには、車体を可動させるために大きな駆動力が必要となり、上記の通り大型かつ高価な車体傾斜用アクチュエータが必要になる。
【０００７】
本発明は以上の点を考慮してなされたもので、大型かつ高価な車体傾斜用アクチュエータを用いることなく車体を傾斜させ得る鉄道車両を提案する。
【課題を解決するための手段】
【０００８】
かかる課題を解決するために、本発明においては、曲面軌道を走行する台車と、台車に支持される支持構造体と、支持構造体に支持される機器室及び客室支持部材と、客室支持部材に傾斜可能に支持される客室と、客室を傾斜させる傾斜角度制御部とを備え、客室は、客室支持部材により支持されることにより、支持構造体により支持される機器室とは独立して設置され、傾斜角度制御部は、機器室から独立して設置される客室だけを傾斜させることを特徴とする。
【発明の効果】
【０００９】
本発明によれば、大型かつ高価な車体傾斜用アクチュエータを用いることなく車体を傾斜させることができる。
【図面の簡単な説明】
【００１０】
【図１】第１の実施の形態における鉄道車両の側面構成図である。
【図２】第１の実施の形態における鉄道車両の断面構成図である。
【図３】第２の実施の形態における鉄道車両の側面構成図である。
【図４】第２の実施の形態における鉄道車両の断面構成図である。
【発明を実施するための形態】
【００１１】
以下図面について、本発明の一実施の形態を詳述する。
【００１２】
（１）第１の実施の形態
図１は、第１の実施の形態における鉄道車両１００の側面構成を示す。鉄道車両１００は、曲面軌道を走行する台車１と、台車１に支持される支持構造体２と、支持構造体２に支持される機器室３及び客室支持部材４と、客室支持部材４に支持される客室５とを備えて構成される。また支持構造体２と客室５との間には、傾斜角度制御部６を備える。
【００１３】
台車１に支持される支持構造体２は、図１に示すように側面から見ると凹形状を有する。凹形状を有することにより、客室支持部材４及び傾斜角度制御部６の実装空間を確保することができる。機器室３は、一般的な鉄道車両において客室５に連結されて設置される車両であり、車内には変圧器及び空調装置等を備える。
【００１４】
客室支持部材４は、コロ４ａ及び振子梁４ｂから構成されており、コロ４ａが支持構造体２に支持され、振子梁４ｂは、コロ４ａに対して変位可能に支持される。また客室５は、振子梁４ｂに支持される。客室５は、コロ４ａ及び振子梁４ｂにより、回転中心を揺動可能に支持される。なおコロ４ａは例えばガイドベアリング等である。
【００１５】
傾斜角度制御部６は、客室５の傾斜角度を制御する機能を有し、具体的にはばね等の弾性体、ゴム等の粘弾性体、ダンパ等の減衰要素又はアクチュエータの何れか又はこれらの組み合わせにより構成される。
【００１６】
図２は、第１の実施の形態における鉄道車両１００の断面構成を示す。具体的には図１のＡ−Ａ断面構成図である。支持構造体２上にコロ４ａが設置されており、コロ４ａ上に振子梁４ｂが設置されており、振子梁４ｂ上に客室５が設置されていることを示す。
【００１７】
また図２の２点鎖線は、所定の傾斜角度だけ傾斜した状態の客室５を示す。本実施の形態においては、鉄道車両１００が曲線軌道を走行すると、客室５には遠心力が作用する。そして客室５は、支持構造体２に対して所定の傾斜角度だけ傾斜する。なお客室５が傾斜した際、車両限界から逸脱しないためのストッパ（図示省略）が支持構造体２及び客室５の両方又は何れか一方に設置される。
【００１８】
以上のように本実施の形態における鉄道車両１００によれば、客室支持部材４により客室５を変位可能に支持するようにしたので、曲線軌道走行時に客室５を傾斜させて、乗り心地が悪化することを防止することができる。また軽量な客室５だけを傾斜させればよいため、大型かつ高価な車体傾斜用アクチュエータを用いることなく客室５を傾斜させることができる。
【００１９】
また傾斜角度制御部６がアクチュエータを備えて構成される場合、小さい駆動力であっても客室５を傾斜させることができるため、傾斜角度制御部６の小型化、低コスト化及び省エネ化を実現することができる。
【００２０】
また機器室３を支持する支持構造体２とは異なる客室支持部材４により客室５を支持するようにしたので、客室５を機器室３から独立して設置する構造を得ることができる。よって機器室３内に設置される主変圧器及び空調装置等の振動や騒音が客室５に伝わり難くすることができ、客室５の快適性を向上させることができる。
【００２１】
また客室５はコロ４ａと振子梁４ｂの部分で左右方向（曲線軌道に対して垂直方向）の変位が可能であり、曲線軌道走行時だけでなく直線軌道走行時であっても、支持構造体２が左右に振動した場合にはその振動を逃がすように左右に変位可能な構造を有するため、客室５の乗心地を向上させることができる。
【００２２】
（２）第２の実施の形態
第２の実施の形態では、支持構造体の一部が車体上部まで延在して形成される点及び客室支持部材が客室５の上部に設置される点で、第１の実施の形態と異なる。以下第２の実施の形態について、第１の実施の形態と同一の構成は同一の符号を付してその説明を省略し、異なる構成について説明する。
【００２３】
図３は、第２の実施の形態における鉄道車両１００Ａの側面構成を示す。台車１に支持される支持構造体２ａは、一部が車体上部まで延在して形成される。そして延在した端部には振子軸受け４ｄが設置され、端部間には振子軸４ｃが懸架される。振子軸４ｃ及び振子軸受け４ｄから構成される客室支持部材により、客室５が揺動可能に支持される。
【００２４】
図４は、第２の実施の形態における鉄道車両１００Ａの断面構成を示す。具体的には図３のＢ−Ｂ断面構成図である。支持構造体２ａの上部に振子軸受け４ｄが設置されており、振子軸受け４ｄ上に振子軸４ｃが設置されていることを示す。
【００２５】
以上のように本実施の形態における鉄道車両１００Ａによれば、第１の実施の形態と同様、軽量な客室５だけが傾斜する構造であるため、大型かつ高価な車体傾斜用アクチュエータを用いることなく客室５を傾斜させることができる。また第１の実施の形態と同様、傾斜角度制御部６の小型化、低コスト化及び省エネ化を図ることができる。
【符号の説明】
【００２６】
１００  鉄道車両
１      台車
２      支持構造体
３      機器室
４      客室支持部材
５      客室
６      傾斜角度制御手段
【図１】
2016078486.tif 000003
【図２】
2016078486.tif 000004
【図３】
2016078486.tif 000005
【図４】
2016078486.tif 000006